(57)【要約】【課題】特に注射薬を必要量に制御できると共に、操作上極めて操作が容易であるカートリッジ式の注射器を提供する。【解決手段】本発明の注射器は、カートリッジ及び注射針を組み立てなるものであり、外殻体と、接合リングと、カートリッジ装着殻体と、チューブと、正逆回転螺旋案内管部材と、螺合リングと、一方向ラチェットと、螺旋棒体と、押圧棒体を有し、該接合リングが外殻体の前端及びカートリッジ装着殻体に組み合わされ、カートリッジと連接することができ、該外殻体の内部に、チューブ、正逆回転螺旋案内管部材、螺合リング、一方向ラチェット、螺旋棒体、押圧棒体が組み立てられることによって、押圧棒体を直後方へ素早く引いてから押圧棒体を直前方へ押すことができ、また、注射時の押圧力が正逆回転螺旋案内管部材の長ピッチの構造を介して螺旋棒体の短ピッチの構造に伝わることから、毎回、所定の注射量を注射できると共に、循環開閉動作によって操作が容易となって省力の効果を達成する。【選択図】図１
2017509463.tif 000002
【特許請求の範囲】
【請求項１】
カートリッジ及び注射針を組み立てなる注射器であって、
前後両端にそれぞれ、開口を有する中空状の殻体である外殻体と、
前記外殻体の前端に組み合わされ、内部に内環部が設けられ、該内環部に、複数の一方向の傾斜状の内歯を有するラチェット内歯車が形成される、接合リングと、
前記カートリッジを固定するために、前記接合リングの前端に取り付けられると共に、前端に注射針が着脱可能に取り付けられる、カートリッジ装着殻体と、
前記外殻体の内部に装着され、前端が前記接合リングに取り付けられる、チューブと、
螺旋案内外管及び螺旋案内内管を含み、該螺旋案内外管は、チューブの内部に装着されると共に、螺旋管部及び該螺旋管部の前端に延設される延出管部を備え、該螺旋管部の内周壁に螺旋状案内溝が形成され、該延出管部の外周面に、複数の一方向の傾斜状のラチェット止め爪が設けられ、該ラチェット止め爪が接合リングのラチェット内歯車に噛合され、該螺旋案内外管がラチェット内歯車に対して一方向しか回動せず、該螺旋案内内管は、チューブ及び螺旋案内外管に貫設され、該螺旋案内内管の前段外周面に複数の案内凸部が設けられ、該案内凸部が螺旋案内外管の螺旋状案内溝に螺合され、該螺旋案内内管が螺旋案内外管に対して回転しながら所定の推移距離に移動し、該螺旋案内内管の後段内部に、複数の一方向の傾斜状のラチェット内歯部が設けられる、正逆回転螺旋案内管部材と、
前記螺旋案内外管の延出管部に装着され、ネジ穴が形成される、螺合リングと、
前記螺旋案内内管のラチェット内歯部に装着され、環状本体及び、それぞれ該環状本体の外周面に設けられた、複数の一方向の傾斜状のラチェット弾性止め爪を有し、該環状本体に中心穴が形成され、該ラチェット弾性止め爪がラチェット内歯部に噛合される、一方向ラチェットと、
前記正逆回転螺旋案内管部材の内部に貫設されると共に、注射量制御段及び軸穴を備え、該注射量制御段の外周面にネジ山が形成され、該注射量制御段が螺合リングに螺合される、前記カートリッジを押圧するための螺旋棒体と、
注射押圧棒体及びカバーを備え、該注射押圧棒体は、棒部及び、該棒部の後端に設けられる押し部を備え、該注射押圧棒体の棒部が一方向ラチェットの中心穴に貫設するように固定され、該棒部が摺動可能に軸方向に沿って螺旋棒体の軸穴に挿設され、該注射押圧棒体の棒部の後端及び押し部が螺旋案内内管から突出し、該カバーは、注射押圧棒体の押し部の周囲に環装され、該螺旋案内内管の後端がカバーに枢設される、押圧棒体を有し、
前記押圧棒体が一方向ラチェットと、正逆回転螺旋案内管部材と、螺合リングと、螺旋棒体とを組み立てることにより、循環開閉動作することを特徴とする、
注射器。
【請求項２】
前記チューブの後端に止めタブ及び止め縁部が設けられ、前記螺旋案内内管の後段外周面に、複数の環状止め溝及び、所定の長さを備える軸方向案内凹部が形成され、前記止めタブが螺旋案内内管の環状止め溝に挿し込まれると、該螺旋案内内管の軸方向への移動を阻止し、該止めタブが軸方向案内凹部に挿し込まれると、該螺旋案内内管の前方への移動が可能となり、該止めタブにより螺旋案内内管の後側への移動位置を制御することを特徴とする請求項１に記載の注射器。
【請求項３】
前記螺旋棒体の軸穴の断面形状が注射押圧棒体の棒部の断面形状と対応する非円形であることを特徴とする請求項１または２に記載の注射器。
【請求項４】
前記螺合リングの外周面に位置決め凸部が軸方向に設けられ、前記螺旋案内外管の延出管部の内周壁に位置決め凹部が形成され、前記位置決め凸部を位置決め凹部に嵌め込むことによって、前記螺合リングを螺旋案内外管の延出管部に取り付けることを特徴とする請求項１または２に記載の注射器。
【請求項５】
前記接合リングの一端に接合環部が設けられると共に、他端に組立環部が設けられ、該接合環部は、外殻体に組み合わされ、また、該接合リングにおける、内環部と接合環部との間に複数のフックが設けられ、接合環部と内環部との間に保持リングが装着され、前記チューブにおける、接合リングに挿設される前端に凹部が形成され、前記接合リングのフックがチューブの凹部に掛合されると共に、前記接合リングの保持リングがフックの外周に環装されることによって、該チューブと接合リングとを結合固定することを特徴とする請求項４に記載の注射器。
【請求項６】
前記螺旋棒体の注射量制御段の前端にピストン押し部材が取り付けられることを特徴とする請求項５に記載の注射器。
【発明の詳細な説明】
【技術分野】
【０００１】
本発明は注射器に関し、特に注射薬を必要量に制御できると共に、操作上極めて操作が容易であるカートリッジ式の注射器を提供するものである。
【背景技術】
【０００２】
近年、注射薬の必要量を制御したり、注射の回数を計算したり、使用限度内での再利用を可能にするなどの目的を達成するために、注射量が設定可能な注射器や、注射回数の計算が可能な注射器が開発された。そのうち、注射量の設定が可能な注射器は、注射筒の内部に複数の駆動部材から構成された駆動構造が取り付けられ、該駆動構造が押しボタンと連接され、該注射筒の前端に注射針が装着される設計である。
使用時は、まず、カートリッジを注射筒に装着して注射針と組み合わせ、その後、注射針を人体の特定部分に刺し入れて押しボタンを一定速度で押す。この時、押しボタンが駆動構造の駆動部材を押し込んで、カートリッジのピストンを一定距離に作動させて、薬剤の必要量を注射針から送り出す。
【発明の概要】
【発明が解決しようとする課題】
【０００３】
しかしながら、上述した注射量が設定可能な注射器は、薬剤を必要量に制御することはできるが、駆動構造の駆動部材がそれぞれ連動することから、薬剤注入のための押しボタンを押す動作が重く感じられる。
【課題を解決するための手段】
【０００４】
本発明の注射器は、カートリッジ及び注射針を組み立てなるものであって、前後両端にそれぞれ、開口を有する中空状の殻体である外殻体と、前記外殻体の前端に組み合わされ、内部に内環部が設けられ、該内環部に、複数の一方向の傾斜状の内歯を有するラチェット内歯車が形成される、接合リングと、前記カートリッジを固定するために、前記接合リングの前端に取り付けられると共に、前端に注射針が着脱可能に取り付けられる、カートリッジ装着殻体と、前記外殻体の内部に装着され、前端が前記接合リングに取り付けられる、チューブと、螺旋案内外管及び螺旋案内内管を含み、該螺旋案内外管は、チューブの内部に装着されると共に、螺旋管部及び該螺旋管部の前端に延設される延出管部を備え、該螺旋管部の内周壁に螺旋状案内溝が形成され、該延出管部の外周面に、複数の一方向の傾斜状のラチェット止め爪が設けられ、該ラチェット止め爪が接合リングのラチェット内歯車に噛合され、該螺旋案内外管がラチェット内歯車に対して一方向しか回動せず、該螺旋案内内管は、チューブ及び螺旋案内外管に貫設され、該螺旋案内内管の前段外周面に複数の案内凸部が設けられ、該案内凸部が螺旋案内外管の螺旋状案内溝に螺合され、該螺旋案内内管が螺旋案内外管に対して回転しながら所定の推移距離に移動し、該螺旋案内内管の後段内部に、複数の一方向の傾斜状のラチェット内歯部が設けられる、正逆回転螺旋案内管部材と、前記螺旋案内外管の延出管部に装着され、ネジ穴が形成される、螺合リングと、前記螺旋案内内管のラチェット内歯部に装着され、環状本体及び、それぞれ該環状本体の外周面に設けられた、複数の一方向の傾斜状のラチェット弾性止め爪を有し、該環状本体に中心穴が形成され、該ラチェット弾性止め爪がラチェット内歯部に噛合される、一方向ラチェットと、前記正逆回転螺旋案内管部材の内部に貫設されると共に、注射量制御段及び軸穴を備え、該注射量制御段の外周面にネジ山が形成され、該注射量制御段が螺合リングに螺合される、前記カートリッジを押圧するための螺旋棒体と、注射押圧棒体及びカバーを備え、該注射押圧棒体は、棒部及び、該棒部の後端に設けられる押し部を備え、該注射押圧棒体の棒部が一方向ラチェットの中心穴に貫設するように固定され、該棒部が摺動可能に軸方向に沿って螺旋棒体の軸穴に挿設され、該注射押圧棒体の棒部の後端及び押し部が螺旋案内内管から突出し、該カバーは、注射押圧棒体の押し部の周囲に環装され、該螺旋案内内管の後端がカバーに枢設される、押圧棒体を有し、前記押圧棒体が一方向ラチェットと、正逆回転螺旋案内管部材と、螺合リングと、螺旋棒体とを組み立てることにより、循環開閉動作する。
【０００５】
かかる注射器において、前記チューブの後端に止めタブ及び止め縁部が設けられ、前記螺旋案内内管の後段外周面に、複数の環状止め溝及び、所定の長さを備える軸方向案内凹部が形成され、前記止めタブが螺旋案内内管の環状止め溝に挿し込まれると、該螺旋案内内管の軸方向への移動を阻止し、該止めタブが軸方向案内凹部に挿し込まれると、該螺旋案内内管の前方への移動が可能となり、該止めタブにより螺旋案内内管の後側への移動位置を制御することが好ましい。
【０００６】
かかる注射器において、前記螺旋棒体の軸穴の断面形状が注射押圧棒体の棒部の断面形状と対応する非円形であることが好ましい。
【０００７】
かかる注射器において、前記螺合リングの外周面に位置決め凸部が軸方向に設けられ、前記螺旋案内外管の延出管部の内周壁に位置決め凹部が形成され、前記位置決め凸部を位置決め凹部に嵌め込むことによって、前記螺合リングを螺旋案内外管の延出管部に取り付けることが好ましい。
【０００８】
かかる注射器において、前記接合リングの一端に接合環部が設けられると共に、他端に組立環部が設けられ、該接合環部は、外殻体に組み合わされ、また、該接合リングにおける、内環部と接合環部との間に複数のフックが設けられ、接合環部と内環部との間に保持リングが装着され、前記チューブにおける、接合リングに挿設される前端に凹部が形成され、前記接合リングのフックがチューブの凹部に掛合されると共に、前記接合リングの保持リングがフックの外周に環装されることによって、該チューブと接合リングとを結合固定することが好ましい。
【０００９】
かかる注射器において、前記螺旋棒体の注射量制御段の前端にピストン押し部材が取り付けられることが好ましい。
【発明の効果】
【００１０】
上述した本発明の注射器の構造によれば、注射器にカートリッジを装着してから注射針を取り付けて、注射押圧棒体を直後方の所定の位置まで素早く引いて注射の準備をする。更に、注射押圧棒体を直前方へ押す時は、その螺旋案内内管の案内凸部と螺旋案内外管の螺旋状案内溝が長ピッチの構成であると共に、螺合リングのネジ穴と螺旋棒体のネジ山が短ピッチの構成であることから、直線方向への押圧力を回転力に変換すると共に、注射時の押圧力が、長ピッチの構造を介して短ピッチの構造に伝わることから、所定の注射量を注射できると共に、注射時の安全性もよくなる。
さらに、注射器を使用する時には、押圧棒体が一方向ラチェット、正逆回転螺旋案内管部材、螺合リングと、螺旋棒体のそれぞれと連動することから、注射するたびに所定の注射量を制限すると共に、循環開閉動作することができるので、操作上極めて操作が容易であり、省力の効果もある。
【００１１】
また、本発明の注射器は、チューブの止めタブが螺旋案内内管の後端の環状止め溝に挿し込まれる構造であるため、押圧棒体を押す前に、押圧棒体を後方の所定の位置まで引かなければ注射器の機能を果たさない。また、前記チューブの止めタブが螺旋案内内管の環状止め溝に差し込まれた時、該螺旋案内内管の軸方向への動作を阻止し、押圧棒体を後方へ引く過程において、誤動作による螺旋案内内管を軸方向への押圧を阻止することから、毎回の注射の実施について所定の注射量に制限できる。
【００１２】
本発明の注射器はさらにペンキャップを有し、注射針を注射器から取り外さなければペンキャップを装着することができないため、注射するときは毎回、新たな注射針を交換することになる。
【図面の簡単な説明】
【００１３】
【図１】本発明に係る注射器と注射針とキャップの分解斜視説明図である。
【図２】図１に示す注射器における一部の部材を他の角度から見た分解斜視説明図である。
【図３】図１及び図２に示す注射器の実施例において、注射針ではなく、ペンキャップを装着した状態を示す断面図である。
【図４】図３の４−４線の断面図である。
【図５】図３の５−５線の断面図である。
【図６】図１乃至図３に示す注射器の実施例において、カートリッジ装着殻体と、ペンキャップと、注射針と、キャップを取り外した状態を示す分解斜視図である。
【図７】図１乃至図３に示す注射器の実施例において、ペンキャップを取り外して、注射針及びキャップを取り付け、注射押圧棒体を注射の準備位置まで引いた状態を示す側面断面図である。
【図８】図１乃至図３に示す注射器の実施例において、キャップを取り外し、注射押圧棒体を押圧して注射する状態を側面断面図である。
【図９】図１乃至図３に示す注射器の実施例において、注射押圧棒体を押圧して所定の注射量を全て押し出した状態を示す側面断面図である。
【発明を実施するための形態】
【００１４】
以下、添付図面を参照しつつ、本発明の好適な実施形態について詳細に説明する。
【００１５】
図１及び図２は、本発明のカートリッジ式の注射器の実施例であり、前記注射器１は、カートリッジ２と注射針３とキャップ４とを組み立ててなり、注射を行う道具である。
前記注射器１は、外殻体１０と、接合リング２０と、カートリッジ装着殻体３０と、チューブ４０と、正逆回転螺旋案内管部材５０と、螺合リング６０と、一方向ラチェット７０と、螺旋棒体８０と、押圧棒体９０を有し、また、前記注射器１はさらに、ペンキャップ５を有する。
【００１６】
図１及び図２に示すように、前記外殻体１０は、前後両端にそれぞれ開口を有する中空状の殻体であり、前端に結合端１１が設けられる。
【００１７】
図１及び図２に示すように、前記接合リング２０は、接合環部２１と、組立環部２２と、内環部２３を備える。そのうち、接合環部２１は、接合リング２０の後端に設けられ、該組立環部２２は、接合リング２０の前端に設けられ、該内環部２３は、接合リング２０の内部に設けられ、更に、前記接合リング２０は、接合環部２１を介して外殻体１０の結合端１１に組み合わされ、前記内環部２３に複数の一方向の傾斜状の内歯を有するラチェット内歯車２４が形成される。
また、図３の実施例に示すように、接合リング２０における、内環部２３と接合環部２１との間に複数のフック２５が設けられ、接合環部２１と内環部２３との間にさらに保持リング２６が装着されることが好ましい。
【００１８】
図１及び図２に示すように、前記カートリッジ装着殻体３０は、カートリッジ２を固定するために、接合リング２０の前端の接合環部２１に取り付けられる。尚、前記カートリッジ装着殻体３０の前端に注射針３が着脱可能に取り付けられることが好ましい。
【００１９】
図１乃至図３に示すように、前記チューブ４０は、外殻体１０の内部に装着され、前端を介して接合リング２０の内環部２３を環装するように接合環部２１に挿し込まれる。
また、本実施例においては、チューブ４０における接合リング２０に挿設した前端に凹部４１が形成され、前記接合リング２０のフック２５がチューブ４０の凹部４１に掛合されると共に、前記接合リング２０の保持リング２６がフック２５の外周に環装される。この構成によれば、チューブ４０と接合リング２０とを結合固定することができ、前記チューブ４０の後端が外殻体１０から外部に突出し、その後端に止めタブ４２及び止め縁部４３が設けられる。
【００２０】
図１乃至図３に示すように、前記正逆回転螺旋案内管部材５０は、螺旋案内外管５１及び螺旋案内内管５２を含む。そのうち、螺旋案内外管５１は、チューブ４０の内部に装着されると共に、螺旋管部５１１を備え、該螺旋管部５１１の前端に環状壁５１２が設けられ、該環状壁５１２に延出管部５１３が前方へ延設され、該螺旋管部５１１の内周壁に螺旋状案内溝５１４が形成され、該延出管部５１３の外周面に複数の一方向の傾斜状のラチェット止め爪５１５が設けられ、該延出管部５１３の内周壁に位置決め凹部５１６が軸方向に向かって形成される。
また、図３及び図４に示すように、前記螺旋案内外管５１の延出管部５１３が接合リング２０の内環部２３に挿設され、該螺旋案内外管５１のラチェット止め爪５１５が接合リング２０のラチェット内歯車２４に噛合される。この構成によれば、螺旋案内外管５１がラチェット内歯車２４に対して一方向しか回転できない。
【００２１】
図１乃至図３に示すように、前記正逆回転螺旋案内管部材５０の螺旋案内内管５２は、チューブ４０及び螺旋案内外管５１に貫設され、該螺旋案内内管５２の前段外周面に複数の案内凸部５２１が設けられ、該案内凸部５２１が螺旋案内外管５１の螺旋状案内溝５１４に螺合される。この構成によれば、該螺旋案内内管５２が螺旋案内外管５１に対して所定の距離に移動することができる。
一方、前記螺旋案内内管５２の後段外周面に複数の環状止め溝５２２が間隔をおいて形成され、また、所定の長さを備える軸方向案内凹部５２３が形成される。該環状止め溝５２２は、一方向の傾斜状の溝状構造であり、該螺旋案内内管５２の後段内部に複数の一方向の傾斜状のラチェット内歯部５２４が設けられ、該ラチェット内歯部５２４の歯と接合リング２０の内環部２３の歯の傾斜方向は同一であり、該螺旋案内内管５２の後端に枢設部５２５が設けられ、該螺旋案内内管５２の枢設部５２５がチューブ４０の後端から突出し、該チューブ４０の後端における止めタブ４２は、位置変換可能に螺旋案内内管５２の後端の環状止め溝５２２に挿し込んだり、軸方向案内凹部５２３に嵌め込んだりする。
また、図３及び図５に示すように、前記止めタブ４２を軸方向案内凹部５２３に嵌め込むと、前記螺旋案内内管５２を軸方向に沿って前方へ移動可能となり、前記止めタブ４２を螺旋案内内管５２の環状止め溝５２２に嵌め込むと、誤動作で螺旋案内内管５２を軸方向への押圧を阻止することができる。
【００２２】
図１乃至図３に示すように、前記螺合リング６０は、軸方向に螺旋案内外管５１の延出管部５１３に装着され、前記螺合リング６０にネジ穴６１が形成され、該ネジ穴６１のピッチ（隣り合うネジ山の距離）が螺旋状案内溝５１４のピッチ（隣り合う案内溝の距離）よりも小さい設定となっている。
また、本実施例では、螺合リング６０の外周面に位置決め凸部６２が軸方向に設けられ、該位置決め凸部６２が螺旋案内外管５１の位置決め凹部５１６に対応するように嵌め込まれる。この構成により、螺合リング６０を螺旋案内外管５１に取り付ける。
【００２３】
図１乃至図３に示すように、前記一方向ラチェット７０は、螺旋案内内管５２のラチェット内歯部５２４に装着されると共に、環状本体７１及び、該環状本体７１の外周面に設けられた、複数の一方向の傾斜状のラチェット弾性止め爪７２を備え、該環状本体７１に中心穴７３が形成され、該中心穴７３の断面形状が螺旋棒体８０の非円形の軸穴と対応し、該一方向ラチェット７０のラチェット弾性止め爪７２と螺旋案内外管５１のラチェット止め爪５１５との傾斜方向は同一である。
また、図５に示すように、前記ラチェット弾性止め爪７２がラチェット内歯部５２４に噛合される。
【００２４】
図１乃至図３に示すように、前記螺旋棒体８０は、前記螺合リング６０に螺合される注射量制御段８１を備え、該注射量制御段８１の外周面にネジ山が形成され、該螺旋棒体８０の中段の側縁に制限凸縁８２が設けられ、該螺旋棒体８０に非円形の断面形状を有する軸穴８３が形成され、該螺旋棒体８０が正逆回転螺旋案内管部材５０の内部に貫設され、注射量制御段８１がカートリッジ２のピストン２Ａを押圧して前方へ移動させる。
また、前記螺旋棒体８０の注射量制御段８１の前端にピストン押し部材８４が取り付けられ、該螺旋棒体８０がピストン押し部材８４を介してカートリッジ２のピストン２Ａに押圧することが好ましい。
【００２５】
図１乃至図３に示すように、前記押圧棒体９０は、注射押圧棒体９１及びカバー９２を備え、該注射押圧棒体９１は、棒部９１１及び、該棒部９１１の後端に設けられる押し部９１２を備え、該棒部９１１の断面形状は、螺旋棒体８０の軸穴８３の断面形状及び一方向ラチェット７０の中心穴７３の断面形状と対応しており、該注射押圧棒体９１が棒部９１１を介して摺動可能に軸方向に沿って螺旋棒体８０の軸穴８３に挿設される。
また、前記棒部９１１は、一方向ラチェット７０の中心穴７３に貫設するように固定され、該棒部９１１に止め部９１３が設けられ、該止め部９１３により一方向ラチェット７０が棒部９１１に固定され、該注射押圧棒体９１の棒部９１１における、押し部９１２を有する後端が螺旋案内内管５２から突出し、該カバー９２は、注射押圧棒体９１の押し部９１２の周囲に環装され、該螺旋案内内管５２の後端の枢設部５２５がカバー９２に枢設される。
【００２６】
本発明の注射器を使用する時は、図３及び図６に示すように、カートリッジ装着殻体３０を取り外した状態でカートリッジ２を装着し、この時、カートリッジ２における、ピストン２Ａがある一端を接合リング２０に挿設して位置決め、螺旋棒体８０のピストン押し部材８４をカートリッジ２のピストン２Ａに当接する。そして、カートリッジ装着殻体３０をカートリッジ２に環装することにより、該カートリッジ装着殻体３０を接合リング２０に組み合わせれば、カートリッジ２を注射器１に固定することができる。
【００２７】
本発明の注射器を使用しない時、注射針３及びキャップ４を接合リング２０と連接するようにカートリッジ装着殻体３０に装着してはなく、ペンキャップ５を用いてカートリッジ装着殻体３０をカバーする。
【００２８】
図３及び図７に示すように、注射する前には、まずペンキャップ５をカートリッジ装着殻体３０から取り外して注射針３及びキャップ４を装着するが、この時、注射針３の一端がカートリッジ２に挿入され、キャップ４が注射針３の外端をカバーするので、不注意により使用者に注射針３が刺さることはない。また、押圧棒体９０を軸方向に沿って直後方へ素早く引き、螺旋案内内管５２の外周面の案内凸部５２１がチューブ４０の後端の止め縁部４３に接触すると、該止め縁部４３により阻止されて所定の位置に停止する。
【００２９】
更に、前記押圧棒体９０を後方へ引くと、螺旋案内内管５２も後方へ移動して螺旋案内外管５１の内部で空回り状態となり、チューブ４０の後端の止めタブ４２が螺旋案内内管５２の環状止め溝５２２に摺接して音を発生し、チューブ４０の後端の止めタブ４２が螺旋案内内管５２の環状止め溝５２２に当接して位置決められる。
この構成によれば、誤動作により押圧棒体９０が押されて螺旋案内内管５２が軸方向に沿って直前方へ移動することを防止できる。すなわち、押圧棒体９０を後方へ引いた時、誤動作の押圧により逆方向へ移動することはない。
【００３０】
図８及び図９に示すように、実際に注射をする時は、キャップ４を取り外し、注射針３を人体の特定部分に刺し入れて、押圧棒体９０を押し込んて注射するが、その押圧棒体９０を直前方へ押圧する時、押圧棒体９０のカバー９２が螺旋案内内管５２を押付けて押圧棒体９０と共に直前方へ移動し、それと同時に、螺旋案内内管５２の外周面の案内凸部５２１が螺旋案内外管５１を駆動して定点で回転させ、螺旋案内内管５２が螺旋案内外管５１に対して所定の距離移動すると、押圧棒体９０が所定の距離移動したところで外殻体１０に挿し込まれる。
一方、その螺旋案内外管５１が回転することによって、螺合リング６０も回転し、その螺合リング６０の回転によって螺旋棒体８０が回転して移動することにより、カートリッジ２のピストン２Ａを押圧し、カートリッジ２の薬剤を注射針３から押し出す。
【００３１】
本発明では、上述したように、前記螺旋案内内管５２の外周面の案内凸部５２１が螺旋案内外管５１内部の螺旋状案内溝５１４に沿って所定の距離移動すると共に、螺旋棒体８０が螺旋案内外管５１に装着した螺合リング６０に螺合して所定の距離移動することから、押圧棒体９０を一回押した時、所定の距離しか移動しないと共に、螺旋棒体８０も螺合リング６０により一回転で停止する。そのため、カートリッジ２から押し出す薬剤を必要量に制御することができる。
一方、螺旋案内内管５２の案内凸部５２１と螺旋案内外管５１の螺旋状案内溝５１４は、長ピッチを備えた構成であると共に、螺合リング６０のネジ穴と螺旋棒体８０のネジ山は、短ピッチを備えた構成であることから、注射時の押圧力を、長ピッチの構造を介して短ピッチの構造にスムーズに伝えるので、省力効果を有する。
【００３２】
注射が終了した後は、キャップ４で注射針３をカバーして、キャップ４と注射針３を注射器１から取り外し、ペンキャップ５を注射器１のカートリッジ装着殻体３０にカバーするように取り付ける構成であるので、次回使用する時に、新たな注射針３に交換すれば、注射器１を再利用することができる。
更に、注射器１を使用する時には、押圧棒体９０が一方向ラチェット７０、正逆回転螺旋案内管部材５０、螺合リング６０、螺旋棒体８０と連動することから、注射するごとに所定の注射量に制限できると共に、循環開閉動作することができて操作上極めて操作が容易である。また、カートリッジ２の薬剤容量を螺旋棒体８０の注射量制御段８１の外周面のネジ山の周数及びピッチによって適当な注射回数及び注射量に設定するため、注射器１を用いれば、設定した注射量及び注射回数を自動的に制御することができる。更に、カートリッジ２を装着した注射器１が、設定した注射回数に達すると、カートリッジ２の薬剤が使い切れるようになっているので、使用限度に達した時点で注射器１を廃棄すればよい。
【００３３】
以上は、本発明の好ましい実施形態の説明に過ぎず、本発明を如何なる形で限定するものではない。通常の知識を有する当該分野の者が、本発明の技術要旨を逸脱しない範囲で、以上に開示された技術内容に基づいてなされた同等の効果を有する如何なる簡単な修正或いは変更も、本発明の保護範囲内に含まれるものとする。
【符号の説明】
【００３４】
１      注射器
２      カートリッジ
２Ａ    ピストン
３      注射針
４      キャップ
５      ペンキャップ
１０    外殻体
１１    結合端
２０    接合リング
２１    接合環部
２２    組立環部
２３    内環部
２４    ラチェット内歯車
２５    フック
２６    保持リング
３０    カートリッジ装着殻体
４０    チューブ
４１    凹部
４２    止めタブ
４３    止め縁部
５０    正逆回転螺旋案内部材
５１    螺旋案内外管
５１１  螺旋管部
５１２  環状壁
５１３  延出管部
５１４  螺旋状案内溝
５１５  ラチェット止め爪
５１６  位置決め凹部
５２    螺旋案内内管
５２１  案内凸部
５２２  止めネジ
５２３  軸方向案内凹部
５２４  ラチェット内歯部
５２５  枢設部
６０    螺合リング
６１    ネジ穴
６２    位置決め凸部
７０    一方向ラチェット
７１    環状本体
７２    ラチェット弾性止め爪
７３    中心穴
８０    螺旋棒体
８１    注射量制御段
８２    制限凸縁
８３    軸穴
８４    ピストン押し部材
９０    押圧棒体
９１    注射押圧棒体
９１１  棒部
９１２  押し部
９１３  止め部
９２    カバー
【図１】
2017509463.tif 000003
【図２】
2017509463.tif 000004
【図３】
2017509463.tif 000005
【図４】
2017509463.tif 000006
【図５】
2017509463.tif 000007
【図６】
2017509463.tif 000008
【図７】
2017509463.tif 000009
【図８】
2017509463.tif 000010
【図９】
2017509463.tif 000011
【国際調査報告】
2017509463.tif 000012
2017509463.tif 000013
2017509463.tif 000014
2017509463.tif 000015
2017509463.tif 000016
2017509463.tif 000017